(57)【要約】【課題】搬出管理システム及び搬出管理方法において、正当な搬出者にのみ物品を搬出させる。【解決手段】物品の搬出を管理する搬出管理システム１において、上記物品を搬出する搬出予定者の識別情報を生体情報と共に格納する生体情報格納部２と、物品の識別情報を上記搬出予定者の識別情報と共に格納する物品情報格納手段３と、搬出者の生体情報を認識する生体情報認識手段４と、この生体情報認識手段４から得られる上記搬出者の生体情報に基づいて上記生体情報格納手段２から上記搬出予定者の識別情報を抽出すると共に、この搬出予定者の識別情報に基づいて上記物品情報格納手段３から上記物品の識別情報を抽出する物品情報抽出手段５とを備える構成とする【選択図】図１
2007261717.tif 000002
【特許請求の範囲】
【請求項１】
物品の搬出を管理する搬出管理システムにおいて、
前記物品を搬出する搬出予定者の識別情報を生体情報と共に格納する生体情報格納手段と、
前記物品の識別情報を前記搬出予定者の識別情報と共に格納する物品情報格納手段と、
搬出者の生体情報を認識する生体情報認識手段と、
該生体情報認識手段から得られる前記搬出者の生体情報に基づいて前記生体情報格納手段から前記搬出予定者の識別情報を抽出すると共に、該搬出予定者の識別情報に基づいて前記物品情報格納手段から前記物品の識別情報を抽出する物品情報抽出手段と
を備えることを特徴とする搬出管理システム。
【請求項２】
前記物品情報抽出手段が抽出する物品の識別情報を表示する表示手段を更に備えることを特徴とする請求項１記載の搬出管理システム。
【請求項３】
物品の搬出を管理する搬出管理システムにおいて、
前記物品を搬出する搬出予定者の識別情報を生体情報と共に格納する生体情報格納手段と、
前記物品の識別情報を前記搬出予定者の識別情報と共に格納する物品情報格納手段と、
前記物品に又は該物品に対応させて配置された該物品の識別情報を記憶する記憶手段から前記物品の識別情報を読み取る読み取り手段と、
搬出者の生体情報を認識する生体情報認識手段と、
該生体情報認識手段から得られる前記搬出者の生体情報に基づいて前記生体情報格納手段から前記搬出予定者の識別情報を抽出すると共に、前記読取り手段から得られる前記物品の識別情報に基づいて前記物品情報格納手段から前記搬出予定者の識別情報を抽出する搬出情報抽出手段と、
前記搬出者の生体情報に基づいて抽出される搬出予定者の識別情報と前記物品の識別情報に基づいて抽出される搬出予定者の識別情報とが一致する場合に、前記搬出者が前記物品を搬出するのが正当であると判定する判定手段と
を備えることを特徴とする搬出管理システム。
【請求項４】
前記物品が車両であり、
前記判定手段によって前記搬出者が前記車両を搬出するのが正当であると判定された場合に、前記車両が駐車されている駐車場のゲートを開放するゲート開放手段を更に備えることを特徴とする請求項３記載の搬出管理システム。
【請求項５】
前記物品情報識別手段は、前記物品を搬出した搬出者の識別情報を含む搬出情報を格納することを特徴とする請求項１から請求項４のいずれか１項記載の搬出管理システム。
【請求項６】
前記物品が競売の対象であり、
前記物品の識別情報に対応する競売の落札情報を格納する落札情報データベースから前記落札情報を受信する受信部を更に備え、
前記物品情報格納手段は、前記受信部が受信する落札情報に対応する搬出予定者の識別情報を前記物品の識別情報と共に格納することを特徴とする請求項１から請求項４のいずれか１項記載の搬出管理システム。
【請求項７】
物品の搬出をコンピュータにより管理する搬出管理方法において、
予め前記物品を搬出する搬出予定者の識別情報を生体情報と共に生体情報格納手段に格納し、更に前記物品の識別情報を前記搬出予定者の識別情報と共に物品情報格納段に格納しておき、
入力された搬出者の生体情報を認識し、
該搬出者の生体情報に基づいて前記生体情報格納手段から前記搬出予定者の識別情報を抽出すると共に、該搬出予定者の識別情報に基づいて前記物品情報格納手段から前記物品の識別情報を抽出することを特徴とする搬出管理方法。
【請求項８】
前記抽出された物品の識別情報を表示手段に表示することを特徴とする請求項７記載の搬出管理方法。
【請求項９】
物品の搬出をコンピュータにより管理する搬出管理方法において、
予め前記物品を搬出する搬出予定者の識別情報を生体情報と共に生体情報格納手段に格納し、更に前記物品の識別情報を前記搬出予定者の識別情報と共に物品情報格納手段に格納しておき、
前記物品に又は該物品に対応させて配置された前記物品の識別情報を記憶する記憶手段から前記物品の識別情報を読み取り、
入力された搬出者の生体情報を認識し、
該搬出者の生体情報に基づいて前記生体情報格納手段から前記搬出予定者の識別情報を抽出すると共に、前記認識した物品の識別情報に基づいて前記物品情報格納手段から前記搬出予定者の識別情報を抽出し、
前記搬出者の生体情報に基づいて抽出される搬出予定者の識別情報と、前記物品の識別情報に基づいて抽出される搬出予定者の識別情報とが一致する場合に、前記搬出者が前記物品を搬出するのが正当であると判定することを特徴とする搬出管理方法。
【請求項１０】
前記物品が車両であり、
前記搬出者が前記車両を搬出するのが正当であると判定された場合に、前記車両が駐車されている駐車場のゲートを駆動する駆動機構に対し、ゲートの開放を指示する情報を送出することを特徴とする請求項９記載の搬出管理方法。
【請求項１１】
前記物品を搬出した搬出者の識別情報を含む搬出情報を格納することを特徴とする請求項７から請求項１０のいずれか１項記載の搬出管理方法。
【請求項１２】
前記物品が競売の対象であり、
前記物品の識別情報に対応する競売の落札情報を格納する落札情報データベースから前記落札情報を受信し、
前記受信した落札情報に対応する搬出予定者の識別情報を前前記物品の識別情報と共に、記物品情報格納手段に格納することを特徴とする請求項７から請求項１０のいずれか１項記載の搬出管理方法。
【発明の詳細な説明】
【技術分野】
【０００１】
本発明は、物品の搬出を管理する搬出管理システム及び搬出管理方法に関し、更に詳しくは、正当な搬出者にのみ物品を搬出させる技術に関する。
【背景技術】
【０００２】
従来、物品の搬出を管理する場合、物品の搬入時に搬出券を発行して物品の所有者に所持させるというのが一般的である。また、例えば競売にかけられた物品の搬出を管理する際には、物品の所有者（落札された場合には落札者、落札されなかった場合には出品者）が物品を搬出する場合には所有者に搬出券を発行し、搬出業者が搬出を代行する場合には、搬出業者の身分確認を行って搬出業者に搬出券を発行する又は搬出券の代わりに身分証を提示させるといった手法等が用いられている。
【０００３】
ここで、特開平９−２７８１２７号公報（特許文献１）には、物品をＩＤケースに入れ、このＩＤケースの識別コードを認識することにより、物品の入出荷の自動化を行う技術が提案されている。
【特許文献１】特開平９−２７８１２７号公報
【発明の開示】
【発明が解決しようとする課題】
【０００４】
ところで、上記特許文献１の技術は、物品をＩＤケースに入れ、その識別コードを認識することにより物品の自動管理を行なっているが、物品の搬出に際しての物品と搬出者との照合は、上記のように搬出券や身分確認により行なうことになる。この搬出券や身分確認による物品の搬出管理は、搬出券や身分証を紛失した場合には、不正に取得した取得者が物品を搬出することが可能である。また、第三者が搬出券等を偽装することにより、搬出者を装うことも可能である。そのため、正当な搬出者でない者によって、物品が搬出されるという問題があった。
【０００５】
本発明の課題は、上記従来の実情に鑑み、正当な搬出者にのみ物品を搬出させる搬出管理システム及び搬出管理方法を提供することである。
【課題を解決するための手段】
【０００６】
上記課題を解決するために、本発明の第１の搬出管理システムは、物品の搬出を管理する搬出管理システムにおいて、上記物品を搬出する搬出予定者の識別情報を生体情報（例えば、手のひら静脈、指紋、瞳の中の虹彩、声等）と共に格納する生体情報格納手段と、上記物品の識別情報を上記搬出予定者の識別情報と共に格納する物品情報格納手段と、搬出者の生体情報を認識する生体情報認識手段と、この生体情報認識手段から得られる上記搬出者の生体情報に基づいて上記生体情報格納手段から上記搬出予定者の識別情報を抽出すると共に、この搬出予定者の識別情報に基づいて上記物品情報格納手段から上記物品の識別情報を抽出する物品情報抽出手段とを備える構成とする。
【０００７】
上記構成によれば、搬出予定者の生体情報及び物品の識別情報それぞれを、搬送予定者の識別情報と共に格納しておくことで、物品の搬出時に搬出者の生体情報を認識することにより、その生体情報から搬出者の識別情報を抽出し、更にこの搬出者の識別情報から物品の識別情報を抽出することができる。そのため、この識別情報が抽出された物品のみを搬出者に搬出させることにより、搬出者でない者による物品の搬出を回避することができる。
【０００８】
好ましくは、上記物品情報抽出手段が抽出する物品の識別情報を表示する表示手段を更に備える構成とする。
上記構成によれば、物品の識別情報を画面等に表示することにより、搬出者は、搬出可能な物品から搬出しようとする物品を選択することができる。また、表示された物品の識別情報に基づいて管理人が物品の搬出を管理することもできる。これにより、正当な搬出者が搬出可能な物品を容易に認識することができる。
【０００９】
上記課題を解決するために、本発明の第２の搬出管理システムは、物品の搬出を管理する搬出管理システムにおいて、上記物品を搬出する搬出予定者の識別情報を生体情報と共に格納する生体情報格納手段と、上記物品の識別情報を上記搬出予定者の識別情報と共に格納する物品情報格納手段と、上記物品に又はこの物品に対応させて（例えば、物品を収納する収容部、物品の収容位置を示す位置等）配置された物品の識別情報を記憶する記憶手段（例えば、ＩＣタグ）から上記物品の識別情報を認識する読取り手段（例えばＩＣタグリーダライタ）と、搬出者の生体情報を認識する生体情報認識手段と、この生体情報認識手段から得られる上記搬出者の生体情報に基づいて上記生体情報格納手段から上記搬出予定者の識別情報を抽出すると共に、上記読取り手段から得られる上記物品の識別情報に基づいて上記物品情報格納手段から上記搬出予定者の識別情報を抽出する搬出情報抽出手段と、上記搬出者の生体情報に基づいて抽出される搬出予定者の識別情報と上記物品の識別情報に基づいて抽出される搬出予定者の識別情報とが一致する場合に、上記搬出者が上記物品を搬出するのが正当であると判定する判定手段とを備える構成とする。
【００１０】
上記構成によれば、搬出予定者の生体情報及び物品の識別情報それぞれを搬送予定者の識別情報と共に格納しておき、物品の識別情報を記憶する記憶手段を、物品に又はこの物品に対応させて配置することで、物品の搬出時に搬出者の生体情報を認識すると共に記憶手段から物品の識別情報を読み取り、搬出者の生体情報及び物品の識別情報のそれぞれから搬出予定者の識別情報を抽出し、これら搬出予定者の識別情報が互いに一致する場合に、搬出者が物品を搬出するのが正当であると判定することができる。したがって、搬出者でない者による物品の搬出を回避することができる。
【００１１】
好ましくは、上記物品が車両であり、上記判定手段によって上記搬出者が上記車両を搬出するのが正当であると判定された場合に、上記車両が駐車されている駐車場のゲートを、（例えば、ゲートを駆動する駆動機構に対してゲートの開放を指示する情報を送出して）開放するゲート開放手段を更に備える構成とする。
【００１２】
上記構成によれば、鍵を持たない第三者による車両の盗難をも防止することが可能となり、搬出者でない者による物品の搬出を有効に回避することができる。
好ましくは、上記物品情報識別手段は、上記物品を搬出した搬出者の識別情報を含む搬出情報を格納する構成とする。
【００１３】
上記構成によれば、物品を搬出した搬出者の識別情報を格納することで、物品の管理を有効に行なうことができ、例えば物品搬出後にトラブルが発生しても、物品の搬出者が判明するため、トラブルの拡大を防止することができる。
【００１４】
好ましくは、上記物品が競売の対象であり、上記物品の識別情報に対応する競売の落札情報を格納する落札情報データベースから上記落札情報を受信する受信部を更に備え、上記物品情報格納手段は、上記受信部が受信する落札情報に対応する搬出予定者の識別情報を上記物品の識別情報と共に格納する構成とする。
【００１５】
上記構成によれば、競売において、落札前の物品又は落札されなかった物品の搬出予定者を出品者とし、落札後の物品の搬出予定者を落札者とすることで、より有効に物品の搬出を管理することができる。
【発明の効果】
【００１６】
本発明では、搬出予定者の生体情報及び物品の識別情報それぞれを搬送予定者の識別情報と共に格納しておくことで、物品の搬出時に搬出者の生体情報を認識することにより、その生体情報から搬出者の識別情報を抽出し、更にこの搬出者の識別情報から物品の識別情報を抽出する。そのため、この識別情報が抽出された物品のみを搬出者に搬出させることにより、搬出者でない者による物品の搬出を回避することができる。よって、本発明によれば、正当な搬出者にのみ物品を搬出させることができる。
【００１７】
また、本発明では、搬出予定者の生体情報及び物品の識別情報それぞれを搬送予定者の識別情報と共に格納しておき、物品の識別情報を記憶する記憶手段を、物品に又はこの物品に対応させて配置することで、物品の搬出時に搬出者の生体情報を認識すると共に記憶手段から物品の識別情報を読み取り、搬出者の生体情報及び物品の識別情報のそれぞれから搬出者の識別情報を抽出し、これら搬出者の識別情報が互いに一致するか判定している。したがって、搬出者でない者による物品の搬出を回避することができる。よって、本発明によれば、正当な搬出者にのみ物品を搬出させることができる。
【発明を実施するための最良の形態】
【００１８】
以下、図面を参照しながら、本発明の実施の形態に係る搬出管理システム及び搬出管理方法について説明する。
図１は、本発明の一実施の形態に係る搬出管理システムを示すブロック図である。
【００１９】
同図において、搬出管理システム１は、生体情報格納部２、物品情報格納部３、生体情報認識部４、物品情報抽出部５、表示部６、受信部７等を備え、ネットワーク８を介して落札情報データベース９と接続されている。
【００２０】
生体情報格納部２は、物品を搬出する搬出予定者の識別情報を生体情報と共に格納している。ここで、生体情報格納部２は、搬出予定者の識別情報及び生体情報を、図２に示すように格納するとよい。即ち、同図に示すように、搬出予定者の識別情報として業者ＩＤ（Ｇ−０００Ａ等）及び個人ＩＤ（Ａ−０００１等）を格納すると共に、これら業者ＩＤ及び個人ＩＤに対応する業者名（Ａ運送等）及び搬出予定者個人の氏名（鈴木太郎等）を格納するとよい。また、生体情報格納部２は、後述する生体情報認識部４によって認識した生体情報を文字列（ＸＹＺＣＢ・・・等）として格納している。
【００２１】
物品情報格納部３は、物品の識別情報を搬出予定者の識別情報と共に格納している。ここで、物品情報格納部３は、図３に示すように、物品の識別情報として管理番号（００１−０００１等）及び物品名（軽自動車等）を格納し、搬出予定者の識別情報として上記図２に示す業者ＩＤ及び個人ＩＤに対応する搬出予定業者（Ｇ−０００Ｂ等）及び搬出予定者（Ｂ−０００１等）を格納するとよい。なお、物品が車両である場合には、上記の物品名（軽自動車等）を車種とするとよい。
【００２２】
また、物品情報格納部３は、同図に示すように、物品を搬出した搬出者の識別情報としての鍵受取者（Ｂ−０００１等）、更には２００６年１月４日１０時１分に車両の鍵を上記の搬出者に渡したという鍵受取日時（例えば、０６．１．４．１０．１）等の搬出情報も格納している。なお、物品情報格納部３は、例えば物品自体を搬出者が受け取る場合や、車両を駐車場等から搬出した場合には、搬出情報としての搬出者の識別情報及び搬出日時を格納することもできる。
【００２３】
更に、物品情報格納部３は、同図に示すように、物品の識別情報と共に、落札情報として、落札状態（落札、流れ、再出品等）に基づく搬出予定者の識別情報（Ｇ−０００Ｂ，Ｂ−０００１等）を格納している。また、物品情報格納部３は、物品の所有者（落札者、出品者等）も格納している。ここで、上記の落札情報は、物品の識別情報に対応させて図１に示す落札情報データベース９に格納されており、受信部７が落札情報データベース９からネットワーク８等を介して受信することにより物品情報格納部３に格納されている。
【００２４】
なお、落札情報データベース９は、搬出管理システム１（受信部７）とネットワークを介して接続されていなくとも、例えば、搬出管理システム１が落札情報データベース９を備えていてもよく、また、搬出管理システム１が落札情報データベース９と共に競売システム等の一部となっていてもよい。
【００２５】
生体情報認識部４は、物品を搬出しようとする搬出者の生体情報（例えば、手のひら静脈、指紋、瞳の中の虹彩、声等）を認識する。そのため、生体情報が例えば手のひら静脈である場合には、生体情報認識部４は、例えば画像認識手段、画像メモリ等を有する手のひら静脈認識装置ということになる。
【００２６】
物品情報抽出部５は、生体情報認識部４から得られる搬出者の生体情報に基づいて生体情報格納部２から搬出予定者の識別情報（Ｂ−０００１等）を抽出すると共に、この搬出予定者の識別情報に基づいて物品情報格納部３から物品の識別情報（００１−０００１等）を抽出することが可能となっている。
【００２７】
表示部６は、物品情報抽出部５が抽出する物品の識別情報を表示する。この表示は、例えば図４に示す表示画面１０のように、物品の識別情報一覧１１を、搬出者個人でなければ搬出できない物品の識別情報と、搬出業者の一員であれば搬出できる物品の識別情報とに分けて表示するとよい。また、同図に示すように、物品の識別情報１１ｂに加えて、搬出済（黒丸等）又は未搬出（白丸等）を表示する搬出表示１１ａや物品名１１ｃを合わせて表示するとよい。
【００２８】
次に図５について説明する。同図は、上記搬出管理システムによる物品の搬出管理を示すフローチャートである。
この処理は、ごく標準的な構成を有するコンピュータ、即ち、図６に示すように、制御プログラムを実行することで各構成要素を制御するＣＰＵ１２（物品情報抽出部５）と、ＲＯＭやＲＡＭ及び磁気記憶装置などからなり、ＣＰＵ１２に各構成要素を制御させる制御プログラムの記憶やＣＰＵ１２が制御プログラムを実行する際のワークエリア或いは各種データの記憶領域として使用される記憶部１３（生体情報格納部２，物品情報格納部３）と、各種のデータが取得される入力部１４と、ディスプレイなどに各種のデータを提示する出力部１５（表示部６）と、他の機器とのデータ授受のためのインタフェース機能を提供するＩ／Ｆ部１６（受信部７）とを備えているコンピュータに行わせるようにするとよい。なお、このような処理をコンピュータに行わせるには、例えば、図５に示した手順の処理をコンピュータに行わせる制御プログラムを作成してコンピュータで読み取り可能な記録媒体に記録させておき、その制御プログラムを記録媒体からコンピュータに読み出させて実行させればよく、この結果、当該コンピュータは搬出管理システム１の一部として機能する。
【００２９】
なお、記録させた制御プログラムをコンピュータで読み取ることの可能な記録媒体としては、例えば、コンピュータに内蔵若しくは外付けの付属装置として備えられるＲＡＭ若しくはＲＯＭ又はハードディスク装置などのメモリ、或いはＦＤ（フレキシブルディスク）、ＭＯ（光磁気ディスク）、ＣＤ−ＲＯＭ、ＤＶＤ−ＲＯＭなどといった可搬型記録媒体等が利用できる。
【００３０】
また、記録媒体は回線を介してコンピュータと接続される、プログラムサーバとして機能するコンピュータが備えている記憶装置であってもよい。この場合には、制御プログラムを表現するデータ信号で搬送波を変調して得られる伝送信号を、プログラムサーバから伝送媒体である回線を通じて伝送するようにし、コンピュータでは受信した伝送信号を復調して制御プログラムを再生することで当該制御プログラムを実行できるようになる。
【００３１】
以下、図５のフローチャートに従い、物品の搬出管理について説明する。
まず、生体情報認識部４が、物品を搬出しようとする搬出者の生体情報を認識する（Ｓ１１）。次に、物品情報抽出部５は、この生体情報に基づいて生体情報格納部２から搬出予定者の識別情報として、個人ＩＤ及び業者ＩＤを抽出する（Ｓ１２）。そして、物品情報抽出部５は、上記の個人ＩＤ及び業者ＩＤが抽出できた場合、これら個人ＩＤ及び業者ＩＤに基づいて抽出物品情報格納部３から物品の識別情報としての物品の管理番号及び物品名を抽出する（Ｓ１３）。
【００３２】
物品の管理番号が抽出できた場合、表示部６は、この物品の管理番号及び物品名を例えば上記図４に示すように抽出する（Ｓ１４）。なお、生体情報から個人ＩＤ又は業者ＩＤ（搬出予定者の識別情報）が抽出できなかった場合、及び個人ＩＤ又は業者ＩＤから物品の管理番号又は物品名（物品の識別情報）が抽出できなかった場合には、生体情報を認識した搬出者が搬出すべき物品はない旨を、例えば警告表示と共に表示部６に表示する（Ｓ１５）。
【００３３】
そして、搬出者が搬出可能な物品の管理番号又は物品名が表示部６に表示され、搬出者等が図４に示す搬出表示１１ａが未搬出（白丸等）の車両を選択すると、例えば鍵を保管されているロッカーが開放する等して物品が搬出される（Ｓ１６）。なお、物品の搬出に際しては、搬出者が搬出する物品を表示画面１０から選択した後、管理人がその物品を搬出者に渡すようにしてもよく、管理人が搬出者の指定する物品を表示画面１０から選択して搬出者に物品を搬出してもよい。
【００３４】
搬出者等が表示部６の車両を選択して物品が搬出された場合、図３に示すように、物品情報格納部３に鍵受取者（搬出者の識別情報）及び鍵受取日時を格納する（Ｓ１７）。なお、搬出者に鍵を渡して搬出させる形式を採らない場合には、物品を搬出する際に搬出者の識別情報及び搬出日時を格納するとよい。ここで、物品が搬出されなかった場合にも搬出者の生体情報を確認しておくことで、不審者等の管理をも行なうことが可能となる。
【００３５】
以上説明した本実施の形態では、搬出予定者の生体情報及び物品の識別情報それぞれを搬送予定者の識別情報と共に格納しておくことで、物品の搬出時に搬出者の生体情報を認識することにより、その生体情報から搬出者の識別情報を抽出し、更にこの搬出者の識別情報から物品の識別情報を抽出する。そのため、この識別情報が抽出された物品のみを搬出者に搬出させることにより、搬出者でない者による物品の搬出を回避することができる。よって、本実施の形態によれば、正当な搬出者にのみ物品を搬出させることができる。
【００３６】
また、物品情報抽出部５により抽出される物品の識別情報（００１−０００１等）を、表示画面１０等に表示することにより、搬出者等が、搬出可能な物品から搬出しようとする物品を選択することができ、正当な搬出者が搬出可能な物品を容易に認識することができる。
【００３７】
また、物品又はその鍵を搬出した搬出者の識別情報を物品情報格納部３に格納することで、物品の管理を有効に行なうことができ、例えば物品搬出後にトラブルが発生しても、物品の搬出者が判明するため、トラブルの拡大を防止することができる。
【００３８】
また、受信部７が落札情報データベース９から受信する、落札情報に対応した搬出予定者の識別情報を、物品の識別情報と共に物品情報格納部３に格納することで、競売において、落札前の物品又は落札されなかった物品の搬出予定者を出品者とし、落札後の物品の搬出予定者を落札者とすることで、より有効に物品の搬出を管理することができる。
【００３９】
また、搬出予定者を、搬出業者及び搬出予定者個人の一方又は両方を選択可能とすることで、搬出業者内の者であれば誰でも搬出することができるように設定できると共に、個人を特定することにより厳密に搬送予定者を管理することもできる。
【００４０】
図７は、本発明の他の実施の形態に係る搬出管理システムを示すブロック図である。
同図において、搬出管理システム２１は、生体情報格納部２２、物品情報格納部２３、生体情報認識部２４、搬出情報抽出部２５、表示部２６、受信部２７、読み取り部３０、判定部３１、ゲート開放部３２等を備え、ネットワーク２８を介して落札情報データベース２９と接続されている。
【００４１】
生体情報格納部２２は、物品を搬出する搬出予定者の識別情報を生体情報と共に格納している。ここで、生体情報格納部２２は、搬出予定者の識別情報及び生体情報を、図２に示すように格納するとよい。即ち、同図に示すように、搬出予定者の識別情報として業者ＩＤ（Ｇ−０００Ａ等）及び個人ＩＤ（Ａ−０００１等）を格納すると共に、これら業者ＩＤ及び個人ＩＤに対応する業者名（Ａ運送等）及び搬出予定者個人の氏名（鈴木太郎等）を格納するとよい。また、搬出予定者の生体情報は、後述する生体情報認識部２４によって認識した生体情報を文字列（ＸＹＺＣＢ・・・等）として格納している。
【００４２】
物品情報格納部２３は、物品の識別情報を搬出予定者の識別情報と共に格納している。ここで、物品情報格納部２３は、上記図３に示すように、物品の識別情報として管理番号（００１−０００１等）及び物品名（軽自動車等）を格納し、搬出予定者の識別情報として図２に示す業者ＩＤ及び個人ＩＤにそれぞれ対応する搬出予定業者（Ｇ−０００Ｂ等）及び搬出予定者（Ｂ−０００１等）を格納するとよい。なお、物品が車両である場合には、上記の物品名（軽自動車等）を車種とするとよい。
【００４３】
また、物品情報格納部２３は、図３に示すように、物品を搬出した搬出者の識別情報としての鍵受取者（Ｂ−０００１等）、更には２００６年１月４日１０時１分に車両の鍵を搬出者に渡したという鍵受取日時（例えば、０６．１．４．１０．１）等の搬出情報も格納している。なお、物品情報格納部２３は、例えば物品自体を搬出者が受け取る場合や、車両を駐車場等から搬出した場合には、搬出情報としての搬出者の識別情報及び搬出日時を格納することもできる。
【００４４】
更に、物品情報格納部２３は、同図に示すように、物品の識別情報と共に、落札情報として、落札状態（落札、流れ、再出品等）に基づく搬出予定者の識別情報（Ｇ−０００Ｂ，Ｂ−０００１等）を格納している。また、物品情報格納部２３は、物品の所有者（落札者、出品者等）も格納している。ここで、上記の落札情報は、物品の識別情報に対応させて図７に示す落札情報データベース２９に格納されており、受信部２７がネットワーク２８等を介して落札情報データベース２９から無線等で受信することにより、物品情報格納部２３に格納されている。
【００４５】
なお、落札情報データベース２９は、搬出管理システム２１（受信部２７）とネットワーク２８を介して接続されていなくとも、例えば、搬出管理システム２１が落札情報データベース２９を備えていてもよく、また、搬出管理システム２１が落札情報データベース２９と共に競売システム等の一部となっていてもよい。
【００４６】
生体情報認識部２４は、物品を搬出しようとする搬出者の生体情報（例えば、手のひら静脈、指紋、瞳の中の虹彩、声等）を認識する。そのため、生体情報が例えば手のひら静脈である場合には、生体情報認識部２４は、例えば画像認識手段、画像メモリ等を有する手のひら静脈認識装置ということになる。
【００４７】
物品情報抽出部２５は、上記実施の形態と異なり、生体情報認識部２４から得られる搬出者の生体情報に基づいて生体情報格納部２２から搬出予定者の識別情報（Ｂ−０００１等）を抽出すると共に、後述する読み取り部３０が読み取る物品の識別情報に基づいて物品情報格納部２３から搬出予定者の識別情報（Ｂ−０００１等）を抽出することが可能となっている。表示部２６も、上記実施の形態とは異なり、後述する判定部３１による判定結果等を表示することが可能となっている。
【００４８】
読み取り部３０は、物品に又はこの物品に対応させて（例えば、物品を収納する収容部、物品の収容位置を示す位置等）配置された物品の識別情報を記憶する記憶手段（例えば、ＩＣタグ）３３から物品の識別情報を読み取る。なお、読み取り部３０は、記憶手段３３がＩＣタグの場合は、ＩＣタグリーダライタとなる。
【００４９】
判定部３１は、生体情報認識部２４によって認識される搬出者の生体情報に基づいて抽出される搬出予定者の識別情報と、読み取り手段３０に読み取られる物品の識別情報に基づいて抽出される搬出予定者の識別情報とが一致する場合に、搬出者が物品を搬出するのが正当であると判定する。
【００５０】
ゲート開放部３２は、物品が車両である場合に、判定手段によって搬出者が車両を搬出するのが正当であると判定された場合に、例えば、車両が駐車されている駐車場のゲートを駆動する駆動機構に対し、ゲートの開放を指示する情報を送出する。そのため、物品が車両でない場合には必要とならない場合もある。なお、詳しくは後述するが、上記実施形態の管理により搬出者が車両の鍵を受け取った後、再度車両の搬出時に、車両に配置される記憶手段及び搬出者の生体情報を認証することにより、車両の盗難を抑止するという二重の管理を行なってもよい。
【００５１】
図８は、上記搬出管理システムによる物品の搬出管理を示すフローチャートである。同図に示す処理は、例えば図６に示すコンピュータ等により行なうとよい。以下、同図のフローチャートに従い、物品の搬出管理について説明する。
【００５２】
まず、生体情報認識部２４が、物品を搬出しようとする搬出者の生体情報を認識する（Ｓ２１）。また、読み取り部３０が、搬出される物品に又はこの物品に対応させて配置される記憶手段３３から、物品の識別情報を読み取る（Ｓ２２）。なお、生体情報認識部４による生体情報の認識（Ｓ２１）と記憶手段３３による物品の識別情報の読み取り（Ｓ２２）との順番は、前後逆でも同時でも問題ない。
【００５３】
次に、搬出情報抽出部２５は、認識した生体情報に基づいて生体情報格納部２２から搬出予定者の識別情報を抽出すると共に、読み取った物品の識別情報に基づいて物品情報格納部２３から搬出予定者の識別情報を抽出する（Ｓ２３）。なお、ここで抽出する搬出者の識別情報は個人ＩＤ及び業者ＩＤの両方を抽出するとよい。
【００５４】
また、それぞれから搬出予定者の識別情報を抽出できた場合、判定部３１は、搬出情報抽出部２５により抽出された２つの搬出予定者の識別情報が一致するかを判定する（Ｓ２４）。この判定の結果は、例えば表示部２６に表示し、管理人等が搬出者の正当性を確認してもよいが、物品が車両であるときには、搬出予定者が一致した場合に、車両が駐車されている駐車場のゲートを駆動する駆動機構に対し、ゲート開放部３２によりゲートの開放を指示する情報を送出するとよい（Ｓ２５）。
【００５５】
そして、搬出者等が物品を搬出した場合、図９に示すように、物品情報格納部２３は、搬出者の識別情報（Ｂ−０００１等）に加え、２００６年１月４日１０時５分に車両が搬出されたという搬出日時（０６．１．４．１０．５等）を格納する。なお、同図に示す物品情報の識別情報は、物品が車両であり、例えば上記実施形態の管理により予め車両の鍵を搬出者に渡しておいて、再度車両搬出時に本実施の形態に係る管理をしている場合の例であるために鍵受取者を格納しているが、物品が車両でない場合等で上記実施形態の管理を行なわない場合には、同図における鍵受取者の欄は必要ないこともある。また、判定部３１により２つの搬出予定者の識別情報が一致しなかったと判定された場合（即ち、搬出者が正当でないと判定された場合）にも、搬出者の生体情報を確認しておくことで、不審者等の管理をも行なうことが可能となる。
【００５６】
以上説明した本実施の形態では、搬出予定者の生体情報及び物品の識別情報それぞれを搬送予定者の識別情報と共に格納しておき、物品の識別情報を記憶する記憶手段３３を物品に又はこの物品に対応させて配置することで、物品の搬出時に搬出者の生体情報を認識すると共に記憶手段３３から物品の識別情報を読み取り、搬出者の生体情報及び物品の識別情報のそれぞれから搬出者の識別情報を抽出し、これら搬出者の識別情報が互いに一致するか判定している。したがって、搬出者でない者による物品の搬出を回避することができる。よって、本実施の形態によれば、正当な搬出者にのみ物品を搬出させることができる。
【００５７】
また、物品が車両である場合に、判定手段３１によって搬出者が車両を搬出するのが正当であると判定された場合に、車両が駐車されている駐車場のゲートを開放するゲート開放部３２を備えることで、鍵を持たない第三者による車両の盗難をも防止することが可能となり、搬出者でない者による物品の搬出を有効に回避することができる。
【００５８】
また、物品又はその鍵を搬出した搬出者の識別情報を物品情報格納部２３に格納することで、物品の管理を有効に行なうことができ、例えば物品搬出後にトラブルが発生しても、物品の搬出者が判明するため、トラブルの拡大を防止することができる。
【００５９】
また、受信部２７が落札情報データベース２９から受信する、落札情報に対応した搬出予定者の識別情報を物品の識別情報と共に物品情報格納部２３に格納することで、競売において、落札前の物品又は落札されなかった物品の搬出予定者を出品者とし、落札後の物品の搬出予定者を落札者とすることで、より有効に物品の搬出を管理することができる。
【００６０】
また、搬出予定者を、搬出業者及び搬出予定者個人の一方又は両方を選択可能とすることで、搬出業者内の者であれば誰でも搬出することができるように設定できると共に、個人を特定することにより厳密に搬送予定者を管理することもできる。
【００６１】
なお、上述した２つの実施の形態では、一方の実施形態に係る管理のみを行なうことでも、正当な搬出者にのみ物品を搬出させるという効果を奏するが、上述したように、車両等の鍵を有する物品の場合等には、鍵の受け渡し時及び物品の搬出時に上記２つの実施の形態の管理を行なうことで、より有効に物品の搬出を管理することができる。
【図面の簡単な説明】
【００６２】
【図１】本発明の一実施の形態に係る搬出管理システムを示すブロック図である。
【図２】上記搬出管理システムの生体情報格納部が格納する、搬出予定者の識別情報及び生体情報の一例を示す図表である。
【図３】上記搬出管理システムの物品情報格納部が格納する、物品の識別情報及び搬出予定者の識別情報の一例を示す図表である。
【図４】上記搬出管理システムの表示部が表示する表示画面の一例を示す図である。
【図５】上記搬出管理システムによる物品の搬出管理を示すフローチャートである。
【図６】本発明の実施の形態に係る搬出管理を実施するコンピュータのハードウェア構成の一例を示す図である。
【図７】本発明の他の実施の形態に係る搬出管理システムを示すブロック図である。
【図８】上記搬出管理システムによる物品の搬出管理を示すフローチャートである。
【図９】上記搬出管理システムの物品情報格納部が格納する、物品の識別情報及び搬出予定者の識別情報の一例を示す図表である。
【符号の説明】
【００６３】
１      搬出管理システム
２      生体情報格納部
３      物品情報格納部
４      生体情報認識部
５      物品情報抽出部
６      表示部
７      受信部
８      ネットワーク
９      落札情報データベース
１０      表示画面
１１      物品の識別情報一覧
１１ａ      搬出表示
１１ｂ      物品の識別情報
１１ｃ      物品名
１２      ＣＰＵ
１３      記憶部
１４      入力部
１５      出力部
１６      Ｉ／Ｆ部
２１      搬出管理システム
２２      生体情報格納部
２３      物品情報格納部
２４      生体情報認識部
２５      搬出情報抽出部
２６      表示部
２７      受信部
２８      ネットワーク
２９      落札情報データベース
３０      読み取り部
３１      判定部
３２      ゲート開放部
３３      記憶手段
【図１】
2007261717.tif 000003
【図２】
2007261717.tif 000004
【図３】
2007261717.tif 000005
【図４】
2007261717.tif 000006
【図５】
2007261717.tif 000007
【図６】
2007261717.tif 000008
【図７】
2007261717.tif 000009
【図８】
2007261717.tif 000010
【図９】
2007261717.tif 000011